【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
基礎床面上に配線路空間を形成するように、前記基礎床面と所定間隔開けて配設され、支持部で支持される二重床用フロアパネルであって、
コア材と、
前記コア材の上面側に固着して設けられる上側板材と、
前記コア材の下面側に固着して設けられる下側板材と、を備え、
前記コア材は、前記コア材の周面が前記コア材の上面の端縁から略垂直に下がる上側垂下面と、前記上側垂下面の端縁から内方へ向かうテーパ面と、前記テーパ面の端縁から略垂直に下がる下側垂下面とから構成され、
前記上側板材は、前記上側板材の周縁に、下方に屈曲延設される垂下片が設けられ、
前記下側板材は、前記下側板材の周縁に、上方に屈曲延設される立上片が設けられ、
前記立上片が、底面の端縁から立ち上がり、前記コア材の前記下側垂下面に沿うように形成される下側立上面と、前記下側立上面の上端縁を外方に拡開させ、前記コア材の前記テーパ面に沿うように形成される拡開テーパ面と、前記拡開テーパ面の上端縁から立ち上がり、前記コア材の上側垂下面に沿うように形成される上側立上面とから構成され、
前記垂下片と前記立上片とが重なり部を有するように配置されることにより、前記コア材の周面の少なくとも一部が覆われ、
前記重なり部が、外側に位置する前記垂下片で内側に位置する前記立上片の上側垂下面及び前記コア材の周面を押圧する、又は外側に位置する前記立上片の上側垂下面で内側に位置する前記垂下片及び前記コア材の周面を押圧することを特徴とする二重床用フロアパネル。
【請求項２】
基礎床面上に配線路空間を形成するように、前記基礎床面と所定間隔開けて配設され、支持部で支持される二重床用フロアパネルであって、
コア材と、
前記コア材の上面側に固着して設けられる上側板材と、
前記コア材の下面側に固着して設けられる下側板材と、を備え、
前記上側板材は、前記上側板材の周縁に、下方に屈曲延設される垂下片が設けられ、
前記下側板材は、前記下側板材の周縁に、上方に屈曲延設される立上片が設けられ、
前記垂下片と前記立上片とが少なくとも一部に重なり部を有するように配置されることにより、前記垂下片と前記立上片とで前記コア材の周面の少なくとも一部が覆われ、
前記重なり部が、外側に位置する前記垂下片で内側に位置する前記立上片及び前記コア材の周面を押圧する、又は外側に位置する前記立上片で内側に位置する前記垂下片及び前記コア材の周面を押圧することを特徴とする二重床用フロアパネル。
【請求項３】
基礎床面上に配線路空間を形成するように、前記基礎床面と所定間隔開けて配設され、支持部で支持される二重床用フロアパネルであって、
単板を複数枚重ね合わせた合板で構成されるコア材と、
前記コア材の上面側に固着して設けられる上側板材と、
前記コア材の下面側に固着して設けられる下側板材と、
を備えることを特徴とする二重床用フロアパネル。
【請求項４】
四隅近傍に、前記支持部に固定する固定用ボルトを挿通可能な挿通穴が穿設されていることを特徴とする請求項１〜３の何れかに記載の二重床用フロアパネル。
【請求項５】
一辺の略中央に凹部が形成され、前記凹部はカバーで被覆可能であると共に、凹部の内側面に塗装が施されていることを特徴とする請求項１〜４の何れかに記載の二重床用フロアパネル。
【請求項６】
請求項１〜５の何れかに記載の二重床用フロアパネルを、基礎床面に配置される支持部上に敷設する二重床設備であって、
前記支持部を、
前記基礎床面に設置されるベース部と、
前記ベース部から立設する立設部と、
前記立設部に高さ調整可能に取り付けられる調整部と、
前記調整部上に配置されるスペーサ部と、
前記スペーサ部上に配置される緩衝材とから構成され、
前記スペーサ部の上部に、前記二重床用フロアパネルの周縁の一部に略当接して前記二重床用フロアパネルを位置決めする突出部が設けられ、
前記突出部の間で、且つ前記緩衝材上に前記フロアパネルの底面が載置されることを特徴とする二重床設備。
【請求項７】
前記突出部は、正面視で上方に延びる垂直部と、前記垂直部の頂部で山状に突出する山状部とから構成され、中空で正面視前後面が閉鎖されると共に、その前後方向の略中央位置に補強片が形成されていることを特徴とする請求項６記載の二重床設備。
【手続補正２】
【補正対象書類名】明細書
【補正対象項目名】０００６
【補正方法】変更
【補正の内容】
【０００６】
本発明の二重床用フロアパネルは、基礎床面上に配線路空間を形成するように、前記基礎床面と所定間隔開けて配設され、
支持部で支持される二重床用フロアパネルであって、
コア材と、
前記コア材の上面側に固着して設けられる上側板材と、
前記コア材の下面側に固着して設けられる下側板材と、を備え、前記コア材は、前記コア材の周面が前記コア材の上面の端縁から略垂直に下がる上側垂下面と、前記上側垂下面の端縁から内方へ向かうテーパ面と、前記テーパ面の端縁から略垂直に下がる下側垂下面とから構成され、前記上側板材は、前記上側板材の周縁に、下方に屈曲延設される垂下片が設けられ、前記下側板材は、前記下側板材の周縁に、上方に屈曲延設される立上片が設けられ、前記立上片が、底面の端縁から立ち上がり、前記コア材の前記下側垂下面に沿うように形成される下側立上面と、前記下側立上面の上端縁を外方に拡開させ、前記コア材の前記テーパ面に沿うように形成される拡開テーパ面と、前記拡開テーパ面の上端縁から立ち上がり、前記コア材の上側垂下面に沿うように形成される上側立上面とから構成され、前記垂下片と前記立上片とが重なり部を有するように配置されることにより、前記コア材の周面の少なくとも一部が覆われ、前記重なり部が、外側に位置する前記垂下片で内側に位置する前記立上片の上側垂下面及び前記コア材の周面を押圧する、又は外側に位置する前記立上片の上側垂下面で内側に位置する前記垂下片及び前記コア材の周面を押圧することを特徴とする。上側板材と下側板材は鋼製等の高強度のものとすると好適であり、又、上側板材と下側板材は、コア材の上面側と下面側にそれぞれ接着して固着すると好適である。
前記構成では、コア材を単板を複数枚重ね合わせた合板で構成することにより、充分な耐衝撃性等の強度を得ることができると共に、薄型化や軽量化を図ることができ、施工性の向上、コスト低減、建物への荷重負担の軽減を図ることができる。また、簡易な構造で、低コストである二重床用フロアパネルを得ることができる。
【手続補正３】
【補正対象書類名】明細書
【補正対象項目名】０００７
【補正方法】変更
【補正の内容】
【０００７】
本発明の二重床用フロアパネルは、基礎床面上に配線路空間を形成するように、前記基礎床面と所定間隔開けて配設され、支持部で支持される二重床用フロアパネルであって、コア材と、前記コア材の上面側に固着して設けられる上側板材と、前記コア材の下面側に固着して設けられる下側板材と、を備え、前記上側板材は、前記上側板材の周縁に、下方に屈曲延設される垂下片が設けられ、前記下側板材は、前記下側板材の周縁に、上方に屈曲延設される立上片が設けられ、前記垂下片と前記立上片とが少なくとも一部に重なり部を有するように配置されることにより、前記垂下片と前記立上片とで前記コア材の周面の少なくとも一部が覆われ、前記重なり部が、外側に位置する前記垂下片で内側に位置する前記立上片及び前記コア材の周面を押圧する、又は外側に位置する前記立上片で内側に位置する前記垂下片及び前記コア材の周面を押圧することを特徴とする。
【手続補正４】
【補正対象書類名】明細書
【補正対象項目名】０００８
【補正方法】変更
【補正の内容】
【０００８】
本発明の二重床用フロアパネルは、基礎床面上に配線路空間を形成するように、前記基礎床面と所定間隔開けて配設され、支持部で支持される二重床用フロアパネルであって、単板を複数枚重ね合わせた合板で構成されるコア材と、前記コア材の上面側に固着して設けられる上側板材と、前記コア材の下面側に固着して設けられる下側板材とを備えることを特徴とする。
【手続補正５】
【補正対象書類名】明細書
【補正対象項目名】０００９
【補正方法】変更
【補正の内容】
【０００９】
本発明の二重床用フロアパネルは、四隅近傍に、前記支持部に固定する固定用ボルトを挿通可能な挿通穴が穿設されていることを特徴とする。
【手続補正６】
【補正対象書類名】明細書
【補正対象項目名】００１０
【補正方法】変更
【補正の内容】
【００１０】
本発明の二重床用フロアパネルは、一辺の略中央に凹部が形成され、前記凹部はカバーで被覆可能であると共に、凹部の内側面に塗装が施されていることを特徴とする。
【手続補正７】
【補正対象書類名】明細書
【補正対象項目名】００１３
【補正方法】変更
【補正の内容】
【００１３】
また、本発明の二重床設備は、本発明の二重床用フロアパネルを、基礎床面に配置される支持部上に敷設する二重床設備であって、前記支持部を、前記基礎床面に設置されるベース部と、前記ベース部から立設する立設部と、前記立設部に高さ調整可能に取り付けられる調整部と、前記調整部上に配置されるスペーサ部と、前記スペーサ部上に配置される緩衝材とから構成され、前記スペーサ部の上部に、前記二重床用フロアパネルの周縁の一部に略当接して前記二重床用フロアパネルを位置決めする突出部が設けられ、前記突出部の間で、且つ前記緩衝材上に前記フロアパネルの底面が載置されることを特徴とする。前記調整部と前記スペーサ部は、それぞれ平面視略方形とすると好適である。尚、前記構成は、本発明以外の通常の二重床用フロアパネルの場合にも適用可能である。
前記構成では、調整部とスペーサとの回り止めなどを別途付加する必要がなくなるため、製造コストを低減することが可能となる。また、緩衝材上にフロアパネルの底面が位置することから、歩行感が良く、音なりを防止することができる。また、支持部等の構造が簡易で、低コストである二重床設備を得ることができる。前記構成では、スペーサ部を単純な構成で製造することが可能となり、製造コストを低減することができる。また、スペーサ部上部の突出部で位置決めすることが可能となり、二重床用フロアパネルの位置決めして敷設を容易化することができる
【手続補正８】
【補正対象書類名】明細書
【補正対象項目名】００１４
【補正方法】変更
【補正の内容】
【００１４】
本発明の二重床設備は、前記突出部は、正面視で上方に延びる垂直部と、前記垂直部の頂部で山状に突出する山状部とから構成され、中空で正面視前後面が閉鎖されると共に、その前後方向の略中央位置に補強片が形成されていることを特徴とする。